(57)【要約】【課題】ユーザ毎の体調に応じてユーザの目への負荷を軽減することができる。【解決手段】調整装置１は、測定されたユーザの体調パラメータを取得する体調パラメータ受信部１１と、正面視において略重なる２枚の偏光フィルタを有する眼鏡における各々の前記偏光フィルタの透過軸が互いになす角度の目標値を前記取得した体調パラメータに基づいて算出する角度算出部１２と、前記目標値と各々の前記偏光フィルタの透過軸が互いになす角度が一致するよう少なくともいずれかの前記偏光フィルタを回転させる制御を行う偏光フィルタ調整部１４と、を備えることを特徴とする。【選択図】図３
2010072224.tif 000002
【特許請求の範囲】
【請求項１】
測定されたユーザの体調パラメータを取得する取得部と、
正面視において略重なる２枚の偏光フィルタを有する眼鏡における各々の前記偏光フィルタの透過軸が互いになす角度の目標値を前記取得部が取得した体調パラメータに基づいて算出する角度算出部と、
前記角度算出部が算出した前記目標値と各々の前記偏光フィルタの透過軸が互いになす角度が一致するよう少なくともいずれかの前記偏光フィルタを回転させる制御を行う偏光フィルタ調整部と、
を備えることを特徴とする調整装置。
【請求項２】
ユーザ毎に体調パラメータを記憶する体調パラメータ記憶部を備え、
前記取得部は、体調パラメータに併せてユーザを識別する情報を取得し、
前記角度算出部は、前記ユーザに対応する体調パラメータを前記パラメータ記憶部から読み出し、当該体調パラメータと前記取得部が取得した当該ユーザの体調パラメータに基づいて前記目標値を算出する
ことを特徴とする請求項１に記載の調整装置。
【請求項３】
正面視したときの互いの透過軸の角度を可変とし、略重なる２枚の偏光フィルタと、
測定されたユーザの体調パラメータを取得する取得部と、
前記取得部が取得した体調パラメータに基づいて、各々の前記偏光フィルタの透過軸が互いになす角度の目標値を算出する角度算出部と、
前記角度算出部が算出した前記目標値と各々の前記偏光フィルタの透過軸が互いになす角度が一致するよう少なくともいずれかの前記偏光フィルタを回転させる制御を行う偏光フィルタ調整部と、
少なくともいずれかの前記偏光フィルタを回転させるモータと、
を備えることを特徴とする眼鏡。
【請求項４】
測定されたユーザの体調パラメータを取得するステップと、
正面視において略重なる２枚の偏光フィルタを有する眼鏡における各々の前記偏光フィルタの透過軸が互いになす角度の目標値を前記体調パラメータに基づいて算出するステップと、
前記目標値と各々の前記偏光フィルタの透過軸が互いになす角度が一致するよう少なくともいずれかの前記偏光フィルタを回転させる制御を行うステップと、
を有することを特徴とする調整方法。
【請求項５】
測定されたユーザの体調パラメータを取得するステップと、
正面視において略重なる２枚の偏光フィルタを有する眼鏡における各々の前記偏光フィルタの透過軸が互いになす角度の目標値を前記体調パラメータに基づいて算出するステップと、
前記目標値と各々の前記偏光フィルタの透過軸が互いになす角度が一致するよう少なくともいずれかの前記偏光フィルタを回転させる制御を行うステップと、
をコンピュータに実行させるためのプログラム。
【発明の詳細な説明】
【技術分野】
【０００１】
本発明は、眼鏡を透過する光量の調整装置、眼鏡、調整方法及びプログラムに関する。
【背景技術】
【０００２】
現在、ユーザの目の疲れを防止する方法として、利用環境における照度を測定し、測定した照度に応じてディスプレイの輝度を調整するものある（例えば、特許文献１参照）。これにより、ユーザの目に対する負担が軽減し、視認性の優れたディスプレイ表示が可能となる。
【特許文献１】特開２００８−７６７６７号公報
【発明の開示】
【発明が解決しようとする課題】
【０００３】
ところで、例えば長時間継続してディスプレイを眺めていると、眼に疲労が溜まり、チラツキ等を感じるようになる。しかしながら、特許文献１に記載された技術は、利用環境における照度に応じてディスプレイの輝度を調整するものであるため、見ているユーザの疲労状況については考慮されていない、という問題がある。
本発明は上記の点に鑑みてなされたものであり、その目的は、ユーザ毎の体調に応じてユーザの目への負荷を軽減することができる調整装置、眼鏡、調整方法及びプログラムを提供することにある。
【課題を解決するための手段】
【０００４】
本発明は上記の課題を解決するためになされたものであり、本発明の一態様は、測定されたユーザの体調パラメータを取得する取得部と、正面視において略重なる２枚の偏光フィルタを有する眼鏡における各々の前記偏光フィルタの透過軸が互いになす角度の目標値を前記取得部が取得した体調パラメータに基づいて算出する角度算出部と、前記角度算出部が算出した前記目標値と各々の前記偏光フィルタの透過軸が互いになす角度が一致するよう少なくともいずれかの前記偏光フィルタを回転させる制御を行う偏光フィルタ調整部と、を備えることを特徴とする調整装置である。
【０００５】
また、本発明の一態様は、正面視したときの互いの透過軸の角度を可変とし、略重なる２枚の偏光フィルタと、測定されたユーザの体調パラメータを取得する取得部と、前記取得部が取得した体調パラメータに基づいて、各々の前記偏光フィルタの透過軸が互いになす角度の目標値を算出する角度算出部と、前記角度算出部が算出した前記目標値と各々の前記偏光フィルタの透過軸が互いになす角度が一致するよう少なくともいずれかの前記偏光フィルタを回転させる制御を行う偏光フィルタ調整部と、少なくともいずれかの前記偏光フィルタを回転させるモータと、を備えることを特徴とする眼鏡である。
【０００６】
また、本発明の一態様は、測定されたユーザの体調パラメータを取得するステップと、正面視において略重なる２枚の偏光フィルタを有する眼鏡における各々の前記偏光フィルタの透過軸が互いになす角度の目標値を前記体調パラメータに基づいて算出するステップと、前記目標値と各々の前記偏光フィルタの透過軸が互いになす角度が一致するよう少なくともいずれかの前記偏光フィルタを回転させる制御を行うステップと、を有することを特徴とする調整方法である。
【０００７】
また、本発明の一態様は、測定されたユーザの体調パラメータを取得するステップと、正面視において略重なる２枚の偏光フィルタを有する眼鏡における各々の前記偏光フィルタの透過軸が互いになす角度の目標値を前記体調パラメータに基づいて算出するステップと、前記目標値と各々の前記偏光フィルタの透過軸が互いになす角度が一致するよう少なくともいずれかの前記偏光フィルタを回転させる制御を行うステップと、をコンピュータに実行させるためのプログラムである。
【発明の効果】
【０００８】
本発明によれば、ユーザの体調パラメータに基づいて眼鏡が備える２枚の偏光フィルタの透過軸が互いになす角度を変更する。眼鏡が備える２枚の偏光フィルタは略重なっているため、２枚の偏光フィルタの透過軸が互いになす角度を変更すると、ユーザの目に届く光の量が変化する。このため、ユーザ毎個別にその疲労状況に合わせて、最適な光の量をユーザの目に届くよう調整することができる。これにより、ユーザの目にかかる負荷を軽減させることができる。
【発明を実施するための最良の形態】
【０００９】
以下、図面を参照しながら本発明の実施形態について詳しく説明する。
図１は、本発明の一実施形態による偏光フィルタ調整システムの構成を示す概略図である。
偏光フィルタ調整システムは、調整装置１０と、体調パラメータ測定装置２０と、眼鏡３０と、を含んで構成される。調整装置１０と体調パラメータ測定装置２０は、通信可能に接続されている。また、調整装置１０がモータ３１を駆動できるように接続されている。
体調パラメータ測定装置２０は、所定の時間毎にユーザの体調パラメータを測定する。そして、体調パラメータ測定装置２０は、測定した体調パラメータにユーザの識別番号であるユーザＩＤを付与して調整装置１０に送信する。本実施形態では、体調パラメータは血圧値、心拍数、呼吸回数、体温、発汗量、体表面湿度及び脳波である。
【００１０】
眼鏡３０は、装着する人間の耳に掛ける一対の柄を有する本体フレームを備える眼鏡である。本体フレームには、一対の偏光フィルタ１及び２が正面視したときに略重なって設置されている。偏光フィルタ１は、本体フレームに固定されている。一方、偏光フィルタ２は、符号１００を軸にして回転可能である。偏光フィルタ１及び２は、所定の直線偏光のみを通過させるフィルタである。また、眼鏡３０には、軸１００を中心に偏光フィルタ２を回転させるモータ３１が設置されている。
調整装置１０は、体調パラメータ測定装置２０が測定した体調パラメータに応じて眼鏡３０に設置された偏光フィルタ２の回転角度を調整する装置である。具体的には、調整装置１０は、体調パラメータに応じた電気信号をモータ３１に送信して偏光フィルタ２を回転させる。
【００１１】
図２は、本実施形態における眼鏡３０を通過する光の量について説明するための概略図である。偏光フィルタ１及び２における縦線は、偏光フィルタ１及び２の透過軸を示す。また、角度θは、偏光フィルタ１の透過軸に対する偏光フィルタ２の透過軸の角度（各々の偏光フィルタの透過軸が互いになす角度）である。偏光フィルタ２を回転させることにより、角度θは０度から９０度まで変更可能である。つまり、偏光フィルタ１及び２は、正面視したときの互いの透過軸の角度を可変とする。角度θが０度の場合は、偏光フィルタ１における透過軸と偏光フィルタ２における透過軸が一致する。つまり、偏光フィルタ１を透過する光の偏光方向と偏光フィルタ２を透過する光の偏光方向が一致する。また、角度θが９０度の場合は、偏光フィルタ１における透過軸と偏光フィルタ２における透過軸が直交する。つまり、偏光フィルタ１を透過する光の偏光方向と偏光フィルタ２を透過する光の偏光方向が直交する。このため、角度θが０度に近づくほど眼鏡３０を通過する光の量が多くなり、一方、角度θが９０度に近づくほど眼鏡３０を通過する光の量が小さくなる。なお、眼鏡３０を透過する光の量はｃｏｓ（θ）に比例する。
【００１２】
図３は、本実施形態における調整装置１０の機能構成を示すブロック図である。
調整装置１０は、体調パラメータ受信部１１と、角度算出部１２と、回転角度決定部１３と、偏光フィルタ調整部１４と、体調パラメータ記憶部１５と、回転角度記憶部１６と、を含んで構成される。
体調パラメータ受信部１１（取得部）は、体調パラメータ測定装置２０から送信された体調パラメータを受信し、受信した体調パラメータを角度算出部１２へ出力する。角度算出部１２は、体調パラメータ受信部１１が受信した体調パラメータに基づいて、偏光フィルタ１及び２の透過軸が互いになす角度の目標値θを算出し、算出した目標値θを回転角度決定部１３へ出力する。回転角度決定部１３は、目標値θから偏光フィルタ２を回転させる角度である回転角度βを決定し、決定した回転角度βを偏光フィルタ調整部１４に出力する。偏光フィルタ調整部１４は、モータ３１を駆動して偏光フィルタ２をβ度回転させる。体調パラメータ記憶部１５は、各ユーザに対応する体調パラメータが登録されている体調パラメータテーブルを記憶する。回転角度記憶部１６は、角度算出部１２が算出した目標値θを記憶する。
【００１３】
図４は、本実施形態における体調パラメータテーブルのデータ構造を示す概略図である。
図示するように、体調パラメータテーブルは、行と列からなる２次元の表形式のデータであり、ユーザＩＤと、血圧値と、心拍数と、呼吸回数と、体温と、発汗量と、体表面湿度と、脳波の各項目の列を有している。この体調パラメータテーブルの主キーはユーザＩＤである。ユーザＩＤは、ユーザを一意に識別するための識別番号である。血圧値、心拍数、呼吸回数、体温、発汗量、体表面湿度及び脳波は、体調パラメータである。
【００１４】
次に、図５を参照して、調整装置１０による偏光フィルタ調整処理について説明する。図５は、偏光フィルタ調整処理の手順を示すフローチャートである。以下、体調パラメータが血圧値の場合を例に説明する。本例では、体調パラメータテーブルの血圧値項目のみを使用する。
まず、ステップＳ１では、角度算出部１２が、現在の角度θ´を０度として回転角度記憶部１６に記憶する。そして、偏光フィルタ調整部１４が、モータ３１を駆動して偏光フィルタ１及び２の透過軸が互いになす角度を０度にする。
次に、ステップＳ２では、体調パラメータ受信部１１が、体調パラメータ測定装置２０から送信された血圧値Ｂ１及びユーザＩＤを受信し、角度算出部１２に出力する。
【００１５】
次に、ステップＳ３では、角度算出部１２が、入力された血圧値Ｂ１に基づいて偏光フィルタ１及び２の透過軸が互いになす角度の目標値θを算出する。具体的には、まず、角度算出部１２は、入力されたユーザＩＤに対応する血圧値Ａ１を体調パラメータテーブルから読み出す。そして、角度算出部１２は、次の式（１）から目標値θを算出する。式（１）は、血圧値Ｂ１が高いほど目標値θが小さくなる、つまり眼鏡３０が通す光の量が多くなることを表わす。また、式（１）は、血圧値Ｂが小さいほど目標値θが大きくなる、つまり眼鏡３０が通す光の量が少なくなることを表わす。ただし、ｃ１は正の定数である。また、α（０＜α＜９０）は予め設定された基準角度である。
【００１６】
【数１】
2010072224.tif 000003
【００１７】
次に、ステップＳ４では、回転角度決定部１３が、偏光フィルタ２の回転角度βを算出する。回転角度決定部１３は、回転角度記憶部１６から現在の角度θ´を読み出す。次に、回転角度決定部１３は、目標値θから角度θ´を減算して回転角度βを算出する。また、回転角度決定部１３は、目標値θを現在の角度として回転角度記憶部１６に記憶する。
次に、ステップＳ５では、偏光フィルタ調整部１４が、モータ３１を駆動して偏光フィルタ２をβ度回転させて、ステップＳ２へ戻る。具体的には、偏光フィルタ調整部１４は、回転角度βに相当する電気信号をモータ３１に送って偏光フィルタ２をβ度回転させる。つまり、偏光フィルタ調整部１４は、角度算出部１２が算出した目標値と偏光フィルタ１及び２の透過軸が互いになす角度が一致するよう少なくともいずれかの偏光フィルタを回転させる制御を行う。
【００１８】
このように、本実施形態によれば、ユーザの体調パラメータに基づいて２枚の偏光フィルタの透過軸が互いになす角度を変更する。眼鏡３０が備える偏光フィルタの透過軸が互いになす角度を変更すると、ユーザの目に届く光の量が変化する。このため、ユーザ毎に個別にその疲労状況に合わせて、最適な光の量がユーザの目に届くようにすることができる。これにより、ユーザの目にかかる負荷を軽減させることができる。
【００１９】
なお、上述した例では、調整装置１０は、血圧値に応じて目標値θを決定する場合について述べたが、他の体調パラメータに応じて目標値θを決定してもよい。
まず、調整装置１０が心拍数に応じて目標値θを決定する場合について説明する。この場合、次の式（２）から目標値θを算出する。ただし、Ｂ２は、体調パラメータ測定装置２０により測定された心拍数である。また、Ａ２は、は体調パラメータテーブルに登録されている心拍数である。ｃ２は正の定数である。
【００２０】
【数２】
2010072224.tif 000004
【００２１】
次に、調整装置１０が呼吸回数に応じて目標値θを決定する場合について説明する。この場合、次の式（３）から目標値θを算出する。ただし、Ｂ３は、体調パラメータ測定装置２０により測定された呼吸回数である。また、Ａ３は、は体調パラメータテーブルに登録されている呼吸回数である。ｃ３は正の定数である。
【００２２】
【数３】
2010072224.tif 000005
【００２３】
次に、調整装置１０が体温に応じて目標値θを決定する場合について説明する。この場合、次の式（４）から目標値θを算出する。ただし、Ｂ４は、体調パラメータ測定装置２０により測定された体温である。また、Ａ４は、は体調パラメータテーブルに登録されている体温である。ｃ４は正の定数である。
【００２４】
【数４】
2010072224.tif 000006
【００２５】
次に、調整装置１０が発汗量に応じて目標値θを決定する場合について説明する。ここの場合、次の式（５）から目標値θを算出する。ただし、Ｂ５は、体調パラメータ測定装置２０により測定された発汗量である。また、Ａ５は、は体調パラメータテーブルに登録されている発汗量である。ｃ５は正の定数である。
【００２６】
【数５】
2010072224.tif 000007
【００２７】
次に、調整装置１０が体表面湿度に応じて目標値θを決定する場合について説明する。この場合、次の式（６）から目標値θを算出する。ただし、Ｂ６は、体調パラメータ測定装置２０により測定された体表面湿度である。また、Ａ６は、は体調パラメータテーブルに登録されている体表面湿度である。ｃ６は正の定数である。
【００２８】
【数６】
2010072224.tif 000008
【００２９】
次に、調整装置１０が脳波に応じて目標値θを決定する場合について説明する。この場合、次の式（７）から目標値θを算出する。ただし、Ｂ７は、体調パラメータ測定装置２０により測定された脳波である。また、Ａ７は、は体調パラメータテーブルに登録されている脳波である。ｃ７は正の定数である。
【００３０】
【数７】
2010072224.tif 000009
【００３１】
また、図５に示す各ステップを実現するためのプログラムをコンピュータ読み取り可能な記録媒体に記録して、この記録媒体に記録されたプログラムをコンピュータシステムに読み込ませ、実行することにより、偏光フィルタ調整処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００３２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３３】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、調整装置１０と眼鏡３０を別の装置としたが、眼鏡３０が調整装置１０の機能を備えてもよい。
また、調整装置１０における偏光レンズ調整部１４を眼鏡３０が備えてもよい。この場合、調整装置１０と眼鏡３０は通信可能に接続されている。そして、調整装置１０は、決定した回転角度βを眼鏡３０に送信する。眼鏡３０における偏光レンズ調整部１４は、受信した回転角度βに相当する電気信号をモータ３１に送ることにより、偏光レンズ２をβ度回転させる。
【００３４】
また、本実施形態では、調整装置１０は各体調パラメータに応じて目標値θを決定したが、複数の体調パラメータを組み合わせて目標値θを決定してもよい。その場合、以下の式（８）から目標値θを算出する。ただし、ｗｉは、各体調パラメータの重みである。また、ｎは、体調パラメータの数である。
【００３５】
【数８】
2010072224.tif 000010
【図面の簡単な説明】
【００３６】
【図１】本発明の一実施形態による偏光フィルタ調整システムの構成を示す概略図である。
【図２】本実施形態における眼鏡を通過する光の量について説明するための概略図である。
【図３】本実施形態における調整装置の機能構成を示すブロック図である。
【図４】本実施形態における体調パラメータテーブルのデータ構造を示す概略図である。
【図５】本実施形態における偏光フィルタ調整処理の手順を示すフローチャートである。
【符号の説明】
【００３７】
１，２…偏光フィルタ  １０…調整装置  １１…体調パラメータ受信部  １２…角度算出部  １３…回転角度決定部  １４…偏光フィルタ調整部  １５…体調パラメータ記憶部  １６…角度記憶部  ２０…体調パラメータ測定装置  ３０…眼鏡  ３１…モータ
【図１】
2010072224.tif 000011
【図２】
2010072224.tif 000012
【図３】
2010072224.tif 000013
【図４】
2010072224.tif 000014
【図５】
2010072224.tif 000015